【手続補正書】
【提出日】平成29年3月21日(2017.3.21)
【手続補正１】
【補正対象書類名】特許請求の範囲
【補正対象項目名】全文
【補正方法】変更
【補正の内容】
【特許請求の範囲】
【請求項１】
母乳の圧出および採取のための装置であって、前記装置は、
作動可能なアセンブリと、
胸部に係合しかつ前記胸部に対して流体密封する大きさである胸部インターフェースであって、前記胸部インターフェースは、筐体と、膜とを備え、前記膜は、前記筐体と前記膜との間に延在する連続的な貯蔵部を形成するように前記筐体内に配置されかつ前記筐体に結合され、前記貯蔵部は、前記胸部インターフェースに単一の負圧源を提供し、かつ、非圧縮性流体で充填され、前記膜は、第１の開口部を形成するように形作られ、前記第１の開口部は、前記第１の開口部を通して前記胸部の少なくとも１つの乳頭を受け取るように構成される、胸部インターフェースと、
前記作動可能なアセンブリを前記胸部インターフェースに動作可能に結合するチューブと
を備え、
前記作動可能なアセンブリは、作動させられると、前記貯蔵部から外への前記流体のうちの少なくとも一部の移動に作用するように構成され、
前記膜は、前記貯蔵部から外への前記流体の移動に応答して、前記乳頭から離れる方へ移動するように構成され、それにより、前記胸部からの前記母乳の圧出を生じさせるように前記胸部インターフェースにおいて前記単一の負圧源により十分な負圧を生成する、装置。
【請求項２】
前記作動可能なアセンブリは、ピストンまたはポンプを備える、請求項１に記載の装置。
【請求項３】
前記チューブは、前記流体で充填され、前記作動可能なアセンブリは、作動させられると前記チューブ内に配置された前記流体を変位させるように構成される、請求項１に記載の装置。
【請求項４】
前記膜は、柔軟性があるか、または、変形可能である、請求項１に記載の装置。
【請求項５】
前記膜は、膨張および収縮するように構成された波形領域を有する、請求項１に記載の装置。
【請求項６】
前記膜は、第２の開口部を形成するようにさらに形作られ、前記第２の開口部は、前記母乳が前記胸部インターフェースから前記第２の開口部を通って出ることを可能にし、前記第１の開口部は、前記第１の開口部を通る前記胸部を受け取るように、第１の方向に向けられており、前記第２の開口部は、前記母乳が前記第２の開口部を通して排出されることを可能にするように、前記第１の方向とは異なる第２の方向に向けられている、請求項１に記載の装置。
【請求項７】
前記膜は、前記貯蔵部から外への前記流体の移動に応答して、前記乳頭周りで円周方向に移動するように構成される、請求項１に記載の装置。
【請求項８】
前記胸部インターフェースは、出口弁を備え、前記出口弁は、前記胸部インターフェースの外へ採取容器内への前記圧出された母乳の流れを制御するように構成される、請求項１に記載の装置。
【請求項９】
前記膜は、前記出口弁を形成するように形作られる、請求項８に記載の装置。
【請求項１０】
前記作動可能なアセンブリに動作可能に結合された電気機械駆動機構をさらに備え、前記電気機械駆動機構は、前記作動可能なアセンブリを作動させるように構成される、請求項１に記載の装置。
【請求項１１】
前記作動可能なアセンブリの作動を制御するためのコントローラをさらに備え、前記コントローラは、母乳産出情報の計算および表示を制御するか、または、他の装置との通信を制御する、請求項１に記載の装置。
【請求項１２】
前記胸部インターフェースに隣接するセンサをさらに備え、前記センサは、前記センサを通過する乳の流れの少なくとも１つの側面を感知するように構成される、請求項１に記載の装置。
【請求項１３】
母乳を圧出および採取する方法であって、前記方法は、
胸部インターフェースと前記胸部インターフェースに動作可能に結合された作動可能なアセンブリとを有する胸部圧出および採取装置を提供することであって、前記胸部インターフェースは、膜を備え、前記膜は、筐体と前記膜との間で連続的な貯蔵部を形成するように前記筐体内に配置されかつ前記筐体に結合され、前記貯蔵部は、前記胸部インターフェースに単一の負圧源を提供し、かつ、非圧縮性流体で充填される、ことと、
前記胸部の少なくとも１つの乳頭が前記膜の第１の開口部を通して受け取られるように、胸部を前記胸部インターフェースに係合および流体密封することと、
前記作動可能なアセンブリを作動させることと、
前記作動可能なアセンブリの作動に応答して、前記貯蔵部内に配置された前記非圧縮性流体のうちの少なくとも一部を前記貯蔵部から外へ移動させることと、
前記貯蔵部から外への前記流体の移動に応答して、前記乳頭から離れる方へ前記膜を移動させ、それにより、前記胸部からの前記母乳の圧出を生じさせるように前記胸部インターフェースにおいて前記単一の負圧源により十分な負圧を作り出して適用することと、
前記胸部から乳を圧出および採取することと
を含む、方法。
【請求項１４】
前記作動可能なアセンブリを作動させることは、前記作動可能なアセンブリと前記胸部インターフェースとを動作可能に結合するチューブ内に配置された前記流体を変位させ、それにより、前記貯蔵部から外へ前記流体を移動させる、請求項１３に記載の方法。
【請求項１５】
前記乳頭から離れる方へ前記膜を移動させることは、前記乳頭周りで円周方向に前記膜を移動させることを含む、請求項１３に記載の方法。
【手続補正２】
【補正対象書類名】明細書
【補正対象項目名】００２７
【補正方法】変更
【補正の内容】
【００２７】
本明細書で述べられる全ての出版物、特許、および特許出願は、個々の出版物、特許、および特許出願が具体的かつ個々に参照によって組み込まれるのと同程度に参照によって本明細書に組み込まれる。
本発明は、例えば、以下を提供する。
（項目１）
母乳の圧出および採取のための装置であって、前記装置は、
作動可能なアセンブリと、
胸部インターフェースであって、前記胸部インターフェースは、胸部に係合し、これに対し流体密封を行う大きさであり、前記胸部インターフェースは、その少なくとも一部内に配置された可動部材を有する、胸部インターフェースと、
前記作動可能なアセンブリを前記胸部インターフェースに操作可能に結合するチューブと、
を備え、
前記可動部材は、前記作動可能なアセンブリの作動に応じて動作し、それによって前記胸部インターフェース内に真空を形成し、前記胸部に前記真空を適用してそこから乳を圧出させる、装置。
（項目２）
前記作動可能なアセンブリは、ピストンまたはポンプを備える、項目１に記載の装置。
（項目３）
前記作動可能なアセンブリは、一対のピストンまたは一対のポンプを備える、項目１に記載の装置。
（項目４）
前記作動可能なアセンブリの作動は、前記チューブ内にある流体を移動させる、項目１に記載の装置。
（項目５）
前記可動部材は、柔軟膜を備える、項目１に記載の装置。
（項目６）
前記柔軟膜は、膨張・収縮するように構成された波形領域を有する、項目５に記載の装置。
（項目７）
前記柔軟膜は、前記作動可能なアセンブリの作動に応じて変形し、前記作動可能なアセンブリの作動が前記チューブ内に収められた流体を移動させる、項目５に記載の装置。
（項目８）
前記可動部材は、変形可能部材を備える、項目１に記載の装置。
（項目９）
前記胸部インターフェースは、前記胸部に係合し、前記胸部に対して流体密封を形成する弾力性があり馴染みやすいフランジを備える、項目１に記載の装置。
（項目１０）
流体は、前記チューブ内に配置される、項目１に記載の装置。
（項目１１）
前記流体は、非圧縮性流体である、項目１０に記載の装置。
（項目１２）
引張要素は、前記チューブ内に配置される、項目１に記載の装置。
（項目１３）
前記引張要素は、ロープ、ワイヤ、またはケーブルを備える、項目１２に記載の装置。
（項目１４）
前記引張要素は、前記可動部材および前記作動可能なアセンブリと操作可能に結合される、項目１２に記載の装置。
（項目１５）
前記作動可能なアセンブリと操作可能に結合され、前記作動可能なアセンブリを作動させるように構成された駆動機構をさらに備える、項目１に記載の装置。
（項目１６）
前記駆動機構は、電気機械装置である、項目１５に記載の装置。
（項目１７）
前記駆動機構は、モータを備える、項目１５に記載の装置。
（項目１８）
前記駆動機構は、前記作動可能なアセンブリに解放自在に結合される、項目１５に記載の装置。
（項目１９）
前記胸部インターフェースは、出口弁を備え、前記出口弁は、前記圧出した母乳の流れを採取容器内に向けて制御するように構成された、項目１に記載の装置。
（項目２０）
前記出口弁は、前記変形可能部材が変形されたときには前記出口弁を通して前記圧出した母乳が流れないようにし、前記変形可能部材が非変形形状のときには前記出口弁を通して前記圧出した母乳が流れるようにすることによって前記流れを制御する、項目１９に記載の装置。
（項目２１）
前記出口弁は、前記変形可能部材内に一体的に形成される、項目１９に記載の装置。
（項目２２）
第２の胸部インターフェースであって、前記第２の胸部インターフェースは、第２の胸部に係合し、これに対し流体密封を行う大きさであり、前記第２の胸部インターフェースは、その少なくとも一部内に配置された可動部材を有する、第２の胸部インターフェースと、
前記作動可能なアセンブリを前記第２の胸部インターフェースに操作可能に結合する第２のチューブと、
をさらに備え、
前記可動部材は、前記作動可能なアセンブリの作動に応じて変形し、それによって前記第２の胸部インターフェース内に真空を形成し、前記第２の胸部に真空を適用してそこから乳を圧出させる、項目１に記載の装置。
（項目２３）
第２の作動可能なアセンブリと、
第２の胸部インターフェースであって、前記第２の胸部インターフェースは、第２の胸部に係合し、これに対し流体密封を行う大きさであり、前記第２の胸部インターフェースは、その少なくとも一部内に配置された可動部材を有する、第２の胸部インターフェースと、
前記第２の作動可能なアセンブリを前記第２の胸部インターフェースに操作可能に結合する第２のチューブと、
をさらに備え、
前記可動部材は、前記作動可能なアセンブリまたは前記第２の作動可能なアセンブリの作動に応じて変形し、それによって前記第２の胸部インターフェース内に真空を形成し、前記第２の胸部に前記真空を適用してそこから乳を圧出させる、項目１に記載の装置。
（項目２４）
前記作動可能なアセンブリの作動を制御するためのコントローラを有する筐体をさらに備える、項目１に記載の装置。
（項目２５）
母乳産出情報の計算および表示を制御し、他の装置との通信を制御するためのコントローラを有する筐体をさらに備える、項目１に記載の装置。
（項目２６）
母乳の圧出および採取のための前記装置に電力を提供する電源を有する筐体をさらに備える、項目１に記載の装置。
（項目２７）
前記作動可能なアセンブリを作動させるための駆動用機構を有する筐体をさらに備える、項目１に記載の装置。
（項目２８）
前記胸部インターフェースと流体的に結合された採取容器をさらに備える、項目１に記載の装置。
（項目２９）
前記胸部インターフェースに隣接するセンサをさらに備え、前記センサは、そこを流れる乳の少なくとも１つの側面を感知するように構成される、項目１に記載の装置。
（項目３０）
前記乳の圧出に関するデータを表示するための表示ユニットをさらに備える、項目１に記載の装置。
（項目３１）
母乳の圧出および採取のためのシステムであって、項目１に記載の装置を備えるシステム。
（項目３２）
患者に圧力または真空を適用するための装置であって、前記装置は、
作動可能なアセンブリと、
標的組織インターフェースであって、前記標的組織インターフェースは、標的組織に係合し、これに対し流体密封を行う大きさであり、前記標的組織インターフェースは、その少なくとも一部内に配置された変形可能部材を有する、標的組織インターフェースと、
前記作動可能なアセンブリを前記標的組織インターフェースに操作可能に結合するチューブと、
を備え、
前記変形可能部材は、前記作動可能なアセンブリの作動に応じて変形し、それによって標的組織インターフェース内に真空または圧力を形成し、前記標的組織に前記真空または圧力を適用する、装置。
（項目３３）
母乳を圧出させ採取する方法であって、前記方法は、
少なくとも１つの胸部インターフェースと、前記少なくとも１つの胸部インターフェースに操作可能に結合された少なくとも１つの作動可能なアセンブリとを有する胸部圧出および採取装置を提供するステップであって、前記胸部インターフェースは、変形可能部材を含む、ステップと、
胸部を前記胸部インターフェースに係合させて流体密封するステップと、 
前記作動可能なアセンブリを作動させるステップと、
前記作動可能なアセンブリの作動に応じて変形可能部材を変形させ、それによって真空を形成し前記胸部に適用するステップと、
前記胸部から乳を圧出させて採取するステップと、
を含む、方法。
（項目３４）
前記係合ステップが、前記胸部インターフェース上の弾力性があり馴染みやすいフランジを前記胸部に係合させ、それによって前記胸部インターフェースと前記胸部との間に流体密封を形成するステップを含む、項目３３に記載の方法。
（項目３５）
前記作動可能なアセンブリは、流体を移動させる、項目３３に記載の方法。
（項目３６）
前記流体は、前記作動可能なアセンブリおよび前記変形可能部材に流体的に結合されたチューブ内に配置される、項目３５に記載の方法。
（項目３７）
前記作動可能なアセンブリを作動させるステップは、ピストンを動作させるステップを含む、項目３３に記載の方法。
（項目３８）
前記作動可能なアセンブリを作動させるステップは、前記チューブ内に配置された引張要素に張力を適用するステップを含む、項目３３に記載の方法。
（項目３９）
軸荷重吸収部材は、前記引張要素の周囲に同心円状に配置され、前記方法が、前記引張要素の反力を吸収するステップをさらに含む、項目３８に記載の方法。
（項目４０）
前記作動可能なアセンブリを、それと操作可能に結合された駆動機構から解放するステップをさらに含む、項目３３に記載の方法。
（項目４１）
前記作動ステップと、前記変形ステップと、前記圧出ステップとを繰り返すステップをさらに含む、項目３３に記載の方法。
（項目４２）
前記圧出された乳の産出を定量するステップをさらに含む、項目３３に記載の方法。
（項目４３）
前記圧出された乳の１つまたはそれより多い側面を定量するステップをさらに含む、項目３３に記載の方法。
（項目４４）
前記母乳の圧出に関するデータを前記胸部圧出および採取装置と計算機との間で伝送するステップをさらに含む、項目３３に記載の方法。
（項目４５）
前記モバイル装置は、スマートフォンを含む、項目４４に記載の方法。
（項目４６）
前記データをディスプレイに表示するステップをさらに含む、項目４４に記載の方法。
（項目４７）
前記圧出された乳の採取容器への流れを、前記胸部圧出および採取装置に流体的に結合された弁で制御するステップをさらに含む、項目３３に記載の方法。
（項目４８）
流れを制御するステップは、前記変形可能部材が未変形の時には前記弁を開け、前記変形可能部材が変形されたときには前記弁を閉めるステップを含む、項目４７に記載の方法。
（項目４９）
前記圧出した母乳の流れを、前記胸部インターフェースに流体的に結合されたセンサで感知するステップをさらに含む、項目３３に記載の方法。
（項目５０）
前記胸部圧出および採取装置は、第２の胸部インターフェースと、前記第２の胸部インターフェースに操作可能に結合された第２の作動可能なアセンブリとをさらに備え、前記第２の胸部インターフェースは、変形可能部材を含み、前記方法は、
第２の胸部を前記第２の胸部インターフェースに係合させて流体密封させるステップと、
前記第２の作動可能なアセンブリを作動させるステップと、
前記第２の胸部インターフェース内の前記変形可能部材を前記第２の作動可能なアセンブリの作動に応じて変形させ、それによって前記第２の胸部に真空を形成し適用するステップと、
前記第２の胸部から乳を圧出させて採取するステップと、
をさらに含む、項目３３に記載の方法。
（項目５１）
両方の胸部から乳を圧出させ採取するステップは、同時に起こる、項目５０に記載の方法。
（項目５２）
乳を圧出させ採取するステップは、両方の胸部の間を交互に繰り返す、項目５０に記載の方法。
（項目５３）
差圧を患者に適用する方法であって、前記方法は、
インターフェースと、差圧装置に操作可能に結合された作動可能なアセンブリと、を有する差圧装置を提供するステップであって、前記インターフェースは、変形可能部材を備える、ステップと、
前記インターフェースを前記患者上の標的領域に係合させ、流体的に密封するステップと、
前記作動可能なアセンブリを作動させるステップと、
前記変形可能部材を前記作動可能なアセンブリの作動に応じて変形させ、それによって正圧または真空を形成し、前記正圧または前記真空を前記標的領域に適用するステップと、
を含む、方法。
（項目５４）
前記変形可能部材を変形させるステップは、前記標的領域に適用される正圧を形成し、前記標的領域が、口または鼻を含み、それによって前記患者が睡眠している間の無呼吸状態を低減または解消する、項目５３に記載の方法。
（項目５５）
前記柔軟膜を変形させるステップは、前記標的領域に適用される真空を形成し、前記標的領域は、体液貯蔵器官を含み、それによって、そこから前記体液を圧出させるステップを含む、項目５３に記載の方法。